(57)【要約】【課題】冷却風の流れを調整することを安価かつ容易に行うことができる投写型映像表示装置及びランプユニットを提供する。【解決手段】投写型映像表示装置であるプロジェクタは、映像表示用のランプ２１を備え、冷却風を送風してランプ２１を冷却する。プロジェクタは、冷却風を通す通風孔５１が形成された金属板５ａを備え、通風孔５１が金属板５ａを切り起こして形成されることにより、金属板５ａが、通風孔５１が形成されている通風孔形成面と、通風孔形成面に対して屈曲する切り起こし部とを有する。【選択図】図２
2013007972.tif 000002
【特許請求の範囲】
【請求項１】
映像表示用のランプを備え、冷却風を送風して前記ランプを冷却する投写型映像表示装置において、
前記冷却風を通す通風孔が形成された金属板を備え、
前記通風孔が前記金属板を切り起こして形成されることにより、前記金属板が、前記通風孔が形成されている通風孔形成面と、この通風孔形成面に対して屈曲する切り起こし部とを有する
ことを特徴とする投写型映像表示装置。
【請求項２】
前記切り起こし部が、前記ランプが存在する空間に向けて前記通風孔形成面から屈曲している
ことを特徴とする請求項１に記載の投写型映像表示装置。
【請求項３】
複数の前記通風孔が前記金属板に形成されるとともに、同金属板が複数の前記切り起こし部を有し、
複数の前記切り起こし部のうち、所定の切り起こし部が前記通風孔形成面に対して屈曲する度合いと、他の切り起こし部が前記通風孔形成面に対して屈曲する度合いとが異なる
ことを特徴とする請求項１または２に記載の投写型映像表示装置。
【請求項４】
前記金属板には、同金属板とは別体の他の金属板により構成される風向調整板が設けられている
ことを特徴とする請求項１〜３のいずれか一項に記載の投写型映像表示装置。
【請求項５】
前記ランプを収容するランプケースを備え、このランプケースに前記冷却風を通すための開口部が設けられ、
前記金属板が、前記開口部に取り付けられている
ことを特徴とする請求項１〜４のいずれか一項に記載の投写型映像表示装置。
【請求項６】
ランプと、このランプを収容するランプケースとを備え、このランプケースに、前記ランプを冷却する冷却風を通すための開口部が設けられたランプユニットにおいて、
前記冷却風を通す通風孔が形成された金属板が、前記開口部に取り付けられ、
前記通風孔が前記金属板を切り起こして形成されることにより、前記金属板が、前記通風孔が形成されている通風孔形成面と、この通風孔形成面に対して屈曲する切り起こし部とを有する
ことを特徴とするランプユニット。
【発明の詳細な説明】
【技術分野】
【０００１】
本発明は、冷却風を送風してランプを冷却する投写型映像表示装置及びランプユニットに関する。
【背景技術】
【０００２】
一般に、液晶プロジェクタ等の投写型映像表示装置は、光を発するランプと、ランプを覆うリフレクタとを備えている。発光に伴って発熱するランプが過剰に高温となった状態で使用され続けると、ランプの寿命が短くなってしまうため、ランプを空冷することが行われている（例えば特許文献１及び２参照）。
【０００３】
また、冷却風の流路において、冷却風を通す小さな通風孔が複数形成された格子部材を設けることが知られている。このような格子部材をランプの近傍に設けることによって、ランプを構成する発光管が破裂した場合であっても、その破片が飛散することを抑制することができる。
【先行技術文献】
【特許文献】
【０００４】
【特許文献１】特開平１０−２５４０６１号公報
【特許文献２】特開２００９−３６８６９号公報
【発明の概要】
【発明が解決しようとする課題】
【０００５】
ところで、冷却風の効率的な流れを検証するプロジェクタの設計段階において、複数形成されている通風孔のうちの一部を塞いだ状態における冷却風の流れを知りたい場合がある。特に、ランプを効率良く冷却するための冷却風の流れを検証するために、複数の通風孔のうちの一部を塞いだ状態における冷却風の流れを知りたい場合がある。このような場合に、例えば、上記格子部材を成型する金型を作り直して通風孔の形成態様を変更する場合には、新たな金型を作るためのコストや時間が必要となる。また、例えば、通風孔の一部を接着テープで塞いで冷却風の流れを検証する場合も、通風孔を塞ぐための部材である接着テープの費用がかかる。このように、従来、通風孔を通る冷却風を制限したりするために冷却風の流れを調整することは、安価かつ容易に行うことができないという問題があった。
【０００６】
本発明は上記問題を解決するためになされたものであり、その目的は、冷却風の流れを調整することを安価かつ容易に行うことができる投写型映像表示装置及びランプユニットを提供することにある。
【課題を解決するための手段】
【０００７】
以下、上記目的を達成するための手段及びその作用効果について記載する。
請求項１に記載の発明は、映像表示用のランプを備え、冷却風を送風して前記ランプを冷却する投写型映像表示装置において、前記冷却風を通す通風孔が形成された金属板を備え、前記通風孔が前記金属板を切り起こして形成されることにより、前記金属板が、前記通風孔が形成されている通風孔形成面と、この通風孔形成面に対して屈曲する切り起こし部とを有することを特徴とする。
【０００８】
上記発明によれば、冷却風を通す通風孔が金属板を切り起こして形成されることにより、金属板が、通風孔が形成されている通風孔形成面と、通風孔形成面に対して屈曲する切り起こし部とを有する。このような構成によれば、切り起こし部を通風孔形成面に対して屈曲させることによって、冷却風が通風孔を通る状態となる。また、切り起こし部を通風孔形成面に対して屈曲させないようにすることによって、切り起こし部を通風孔形成面に対して屈曲させる場合に比べて、通風孔を通る冷却風の流れが妨げられる状態となる。従って、切り起こし部が通風孔形成面に対して屈曲する度合いを変更することにより、冷却風の流れを調整することを金属板で安価かつ容易に行うことができる。
【０００９】
請求項２に記載の発明は、請求項１に記載の投写型映像表示装置において、前記切り起こし部が、前記ランプが存在する空間に向けて前記通風孔形成面から屈曲していることを特徴とする。
【００１０】
上記発明によれば、切り起こし部が、ランプが存在する空間に向けて通風孔形成面から屈曲しているため、通風孔を通過した冷却風がランプに向けて流れるように、冷却風の風向を効果的に調整することができる。
【００１１】
請求項３に記載の発明は、請求項１または２に記載の投写型映像表示装置において、複数の前記通風孔が前記金属板に形成されるとともに、同金属板が複数の前記切り起こし部を有し、複数の前記切り起こし部のうち、所定の切り起こし部が前記通風孔形成面に対して屈曲する度合いと、他の切り起こし部が前記通風孔形成面に対して屈曲する度合いとが異なることを特徴とする。
【００１２】
上記発明によれば、複数の切り起こし部のうちの所定の切り起こし部が通風孔形成面に対して屈曲する度合いと、他の切り起こし部が通風孔形成面に対して屈曲する度合いとが異なるため、冷却風の風向を多様に調整することができる。
【００１３】
請求項４に記載の発明は、請求項１〜３のいずれか一項に記載の投写型映像表示装置において、前記金属板には、同金属板とは別体の他の金属板により構成される風向調整板が設けられていることを特徴とする。
【００１４】
上記発明によれば、金属板には、同金属板とは別体の他の金属板により構成される風向調整板が設けられているため、切り起こし部により調整される冷却風の風向を、風向調整板を用いてより効果的に調整することができる。
【００１５】
請求項５に記載の発明は、請求項１〜４のいずれか一項に記載の投写型映像表示装置において、前記ランプを収容するランプケースを備え、このランプケースに前記冷却風を通すための開口部が設けられ、前記金属板が、前記開口部に取り付けられていることを特徴とする。
【００１６】
上記発明によれば、金属板が、ランプを収容するランプケースに設けられた開口部に取り付けられているため、ランプケースを用いて、冷却風の流路に位置するように金属板を保持することができる。
【００１７】
請求項６に記載の発明は、ランプと、このランプを収容するランプケースとを備え、このランプケースに、前記ランプを冷却する冷却風を通すための開口部が設けられたランプユニットにおいて、前記冷却風を通す通風孔が形成された金属板が、前記開口部に取り付けられ、前記通風孔が前記金属板を切り起こして形成されることにより、前記金属板が、前記通風孔が形成されている通風孔形成面と、この通風孔形成面に対して屈曲する切り起こし部とを有することを特徴とする。
【００１８】
上記発明によれば、冷却風を通す通風孔が金属板を切り起こして形成されることにより、金属板が、通風孔が形成されている通風孔形成面と、通風孔形成面に対して屈曲する切り起こし部とを有する。このような構成によれば、切り起こし部を通風孔形成面に対して屈曲させることによって、冷却風が通風孔を通る状態となる。また、切り起こし部を通風孔形成面に対して屈曲させないようにすることによって、切り起こし部を通風孔形成面に対して屈曲させる場合に比べて、通風孔を通る冷却風の流れが妨げられる状態となる。従って、切り起こし部が通風孔形成面に対して屈曲する度合いを変更することにより、冷却風の流れを調整することを金属板で安価かつ容易に行うことができる。また、金属板が、ランプを収容するランプケースに設けられた開口部に取り付けられているため、ランプケースを用いて、冷却風の流路に位置するように金属板を保持することができる。
【発明の効果】
【００１９】
本発明によれば、切り起こし部が通風孔形成面に対して屈曲する度合いを変更することにより、冷却風の流れを調整することを金属板で安価かつ容易に行うことができる。
【図面の簡単な説明】
【００２０】
【図１】本発明の一実施形態に係る投写型映像表示装置の構成を示す模式図。
【図２】同実施形態の投写型映像表示装置が備えるランプユニットの斜視図。
【図３】同実施形態のランプユニットが備えるリフレクタ等の断面とランプとを示す断面図。
【図４】同実施形態のランプ及びリフレクタ及び風向調整部材を前方から見た状態を示す正面図。
【図５】同実施形態の風向調整部材の斜視図。
【図６】（ａ）（ｂ）同実施形態の風向調整部材を構成する金属板の斜視図。
【発明を実施するための形態】
【００２１】
以下、本発明の一実施形態について図面を参照しながら説明する。
図１に示すように、本実施形態に係る投写型映像表示装置は、映像信号に基づいて映像を表示するビデオプロジェクタ１（以下、「プロジェクタ１」）である。映像をスクリーンや壁等の平面に投写して表示可能なプロジェクタ１は、液晶パネル３５Ｒ，３５Ｇ，３５Ｂを用いて生成された映像の光を投射する液晶プロジェクタである。
【００２２】
プロジェクタ１には、映像を表示するため光学系として、白色光を発する光源部１Ａと、白色光から三原色の光を分離する光分離部１Ｂと、三原色の光を用いて映像を生成する映像生成部１Ｃと、三原色の光を合成する光合成部１Ｄと、合成された光を投射する投射部１Ｅとが設けられている。また、プロジェクタ１内には、光源部１Ａが発した光を上記各部１Ｂ〜１Ｅに導くために、光を反射する全反射ミラー３９が設けられている。
【００２３】
光源部１Ａは、光を出射するランプユニット２と、光の照度分布を均一化するインテグレータレンズ３１と、光の偏光成分を揃える偏光変換素子３２と、液晶パネル３５Ｒ，３５Ｇ，３５Ｂの各々に光を集光させる集光レンズ３３とを備えている。ランプユニット２が発した光は、一対のレンズアレイ３１Ａ，３１Ｂからなるインテグレータレンズ３１と、偏光変換素子３２と、集光レンズ３３とを通って、光分離部１Ｂに入射する。
【００２４】
光分離部１Ｂは、所定の波長の光を反射するとともに他の波長の光は透過するダイクロイックミラー３４Ｒ，３４Ｂを備えている。赤色の光が透過するダイクロイックミラー３４Ｒは、緑色及び青色の光を反射する。また、青色の光が透過するダイクロイックミラー３４Ｂは、緑色の光を反射する。光源部１Ａが発した白色光は、ダイクロイックミラー３４Ｒ，３４Ｂにより赤色及び緑色及び青色の光に分離される。赤色及び緑色及び青色の光は、映像生成部１Ｃに入射する。
【００２５】
映像生成部１Ｃは、光の透過率が変化可能な液晶ライトバルブである液晶パネル３５Ｒ，３５Ｇ，３５Ｂを備えている。光分離部１Ｂで分離された赤色の光は、液晶パネル３５Ｒに入射する。また、光分離部１Ｂで分離された緑色の光は、液晶パネル３５Ｇに入射する。また、光分離部１Ｂで分離された青色の光は、液晶パネル３５Ｂに入射する。各色の光が、液晶パネル３５Ｒ，３５Ｇ，３５Ｂを透過することによって三原色の映像が生成される。三原色の映像の光は、光合成部１Ｄに入射する。
【００２６】
光合成部１Ｄは、クロスダイクロイックプリズムにより構成されている。クロスダイクロイックプリズムは、異なる方向から入射した光を同じ方向に向けて出射することによって光を合成する。映像生成部１Ｃで生成された赤色及び緑色及び青色の映像の光は、光合成部１Ｄで合成され、合成された映像の光は投射部１Ｅに入射する。
【００２７】
投射部１Ｅは、映像の光を投射するレンズ群を有したレンズ装置により構成されている。レンズ装置は、プロジェクタ１の外部に向けて光を投射する。光合成部１Ｄで合成された映像の光は、投射部１Ｅによりプロジェクタ１外のスクリーンや壁等の平面上に投射される。
【００２８】
以上のように構成された光学系のうち、ランプ２１を含むランプユニット２は容易に交換を行うことができるように構成されている。ランプユニット２が光を出射することができなくなって映像が表示できなくなったときは、ランプユニット２を交換することにより、映像を表示することができる。
【００２９】
また、プロジェクタ１内には、発熱するランプ２１に向けて冷却風を送風するための冷却ファン（図示略）が設けられている。冷却ファンにより冷却風は、ダクト（不図示）等により形成された流路を通って、ランプユニット２に流入する。以上のように、プロジェクタ１は、映像表示用のランプ２１を備え、冷却風を送風してランプ２１を冷却する。
【００３０】
図２を参照して、ランプユニット２の構成を説明する。
ランプユニット２は、ランプケース４と、ランプケース４に収容されたランプ２１と、ランプ２１とともにランプケース４に収容されたリフレクタ２２と、リフレクタ２２の開口を覆う透明部材２３（図１参照）と、風向調整部材６と、金属板５ｂとを備えている。
【００３１】
ランプケース４は、開口を有する箱状に形成されたランプホルダ４１と、ランプホルダ４１の開口端部を覆うように四角枠形状に形成されたランプカバー４２とにより構成されている。ランプカバー４２には、ランプ２１を冷却する冷却風を通すための開口部４２ａ，４２ｂが設けられている。開口部４２ａは、ランプユニット２の外部から内部へ冷却風を流入させるための通気口であって、開口部４２ｂは、ランプユニット２の内部から外部へ冷却風を流出させるための通気口である。開口部４２ａには、風向調整部材６を構成する金属板５ａが取り付けられている。開口部４２ｂにも、金属板５ｂが取り付けられている。
【００３２】
金属板５ａ，５ｂには、それぞれ、冷却風を通す通風孔５１が複数形成されている。このような金属板５ａ，５ｂを、冷却風の流路におけるランプ２１の近傍に設けることにより、ランプ２１を構成する発光管が破裂した場合であっても、その破片が飛散することを抑制することができる。
【００３３】
金属板５ａは、風向調整板６１，６２，６３とともに風向調整部材６を構成している。風向調整板６１，６２，６３は、金属板５ａとは別体の金属板であって、スポット溶接により金属板５ａに固定されている。冷却風の風向を調整する風向調整板６１，６２，６３は、ランプ２１の所望の位置に冷却風を送風するために、互いに異なる方向に向けて冷却風を案内する。以上のように、ランプユニット２は、ランプ２１と、ランプ２１を収容するランプケース４とを備え、ランプケース４に、ランプ２１を冷却する冷却風を通すための開口部４２ａが設けられている。そして、以上のようなランプユニット２を備えるプロジェクタ１は、金属板５ａを備えている。
【００３４】
図３を参照して、ランプ２１等の構成についてより詳しく説明する。なお、図３は、図４のＡ−Ａ矢視線で示す部分のリフレクタ２２及び透明部材２３及び風向調整部材６の断面図であって、ランプ２１は断面で図示していない。
【００３５】
白色光を発するランプ２１は、内部に発光体（図示略）が封入された発光管である。発光管は、石英ガラスにより形成され、ランプ２１には、発光体に電圧を印加するための電極等が設けられている。ランプ２１が例えば超高圧水銀ランプであれば、発光管の内部には水銀及びハロゲン及び始動用希ガスが封入されている。ランプ２１は、発光体が封入された球状の発光部２１ａと、発光部２１ａに設けられた円柱状の電極埋設部２１ｂとを有している。電極埋設部２１ｂには、発光体が封入されている発光部２１ａへの内部に突出する電極（図示略）の一部と、この電極とランプ２１の外部の電極線（図示略）とを接続するためのモリブデン泊（図示略）及びリード線２１ｃが埋設されている。
【００３６】
リフレクタ２２は、断面が放物面である反射面２２ａを有する反射鏡である。ランプ２１を覆うリフレクタ２２は、ランプ２１が発した光を、図中の矢印で示す前方へ反射させる。このようにして、ランプ２１が発した光は、ランプ２１からランプユニット２の前方に向けて出射する。リフレクタ２２の前端には透明部材２３が接着されている。リフレクタ２２と透明部材２３とにより、ランプユニット２内においてランプ２１が存在する空間Ｍが形成されている。
【００３７】
発光に伴って発熱するランプ２１を効果的に冷却するために、ランプ２１の斜め前方には上述の風向調整部材６が設けられている。金属板５ａの通風孔５１を通った冷却風は、リフレクタ２２と透明部材２３との間から、ランプ２１が存在する空間Ｍに流入する。また、ランプ２１が存在する空間Ｍからは、金属板５ｂの通風孔５１を通ってランプユニット２外に流出する。
【００３８】
図４を参照して、ランプユニット２内である空間Ｍにおける冷却風の流れを説明する。
風向調整板６１に案内される冷却風は、矢印Ｆ１で示すように、発光部２１ａのうち風向調整部材６に近い部位に案内される。また、風向調整板６３に案内される冷却風も、矢印Ｆ３で示すように、発光部２１ａのうち風向調整部材６に近い部位に案内される。一方、風向調整板６１，６３間に設けられた風向調整板６２に案内される冷却風は、矢印Ｆ２で示すように、ランプ２１を横断した後に反射面２２ａに沿って流れることにより、発光部２１ａのうち風向調整部材６から遠い部位に案内される。このようにして、発光部２１ａの全周が冷却される。
【００３９】
図５及び図６を参照して、風向調整部材６を構成する金属板５ａについてより詳しく説明する。図５は、図２等で示した風向調整部材６の全体を示す図であって、図６（ａ）及び（ｂ）は、金属板５ａのみを示す図である。
【００４０】
金属板５ａに形成されている通風孔５１は、金属板５ａを切り起こして形成されている。このように切り起こして形成されていることにより、金属板５ａは、通風孔５１が形成されている平面である通風孔形成面５１ａと、通風孔形成面５１ａに対して屈曲する切り起こし部５１ｂとを有している。切り起こし部５１ｂは、金属板５ａにおいて通風孔形成面５１ａに連続する平面であって、通風孔形成面５１ａに対して屈曲する度合いを変化させることができる。即ち、切り起こし部５１ｂと通風孔形成面５１ａとの接続角度は変えることができる。また、切り起こし部５１ｂを通風孔形成面５１ａに対して屈曲させないようにすることもできる。
【００４１】
複数の通風孔５１が形成されている金属板５ａにおいて、全ての通風孔５１が金属板５ａを切り起こして形成されているため、金属板５ａは、通風孔５１に応じて複数の切り起こし部５１ｂを有している。本実施形態においては、切り起こし部５１ｂが通風孔形成面５１ａに対して屈曲する度合いが直角となるように構成されている。そして、切り起こし部５１ｂは、ランプ２１が存在する空間Ｍ（図３参照）に向けて通風孔形成面５１ａから屈曲している。
【００４２】
本発明の作用について説明する。
切り起こし部５１ｂを通風孔形成面５１ａに対して屈曲させることによって、冷却風が通風孔５１を通る状態となる。また、切り起こし部５１ｂを通風孔形成面５１ａに対して屈曲させないようにすることによって、切り起こし部５１ｂを通風孔形成面５１ａに対して屈曲させる場合に比べて、通風孔５１を通る冷却風の流れが妨げられる状態となる。このようにして、切り起こし部５１ｂと通風孔形成面５１ａとの接続角度を変更することによって、冷却風の流れを制限したり変更したりすることができる。
【００４３】
本実施形態によれば、以下の作用効果を得ることができる。
（１）冷却風を通す通風孔５１が金属板５ａを切り起こして形成されることにより、金属板５ａが、通風孔５１が形成されている通風孔形成面５１ａと、通風孔形成面５１ａに対して屈曲する切り起こし部５１ｂとを有する。このような構成によれば、切り起こし部５１ｂを通風孔形成面５１ａに対して屈曲させることによって、冷却風が通風孔５１を通る状態となる。また、切り起こし部５１ｂを通風孔形成面５１ａに対して屈曲させないようにすることによって、切り起こし部５１ｂを通風孔形成面５１ａに対して屈曲させる場合に比べて、通風孔５１を通る冷却風の流れが妨げられる状態となる。従って、切り起こし部５１ｂが通風孔形成面５１ａに対して屈曲する度合いを変更することにより、冷却風の流れを調整することを金属板５ａで安価かつ容易に行うことができる。
【００４４】
（２）切り起こし部５１ｂが、ランプ２１が存在する空間Ｍに向けて通風孔形成面５１ａから屈曲しているため、通風孔５１を通過した冷却風がランプ２１に向けて流れるように、冷却風の風向を効果的に調整することができる。
【００４５】
（３）金属板５ａには、金属板５ａとは別体の他の金属板により構成される風向調整板６１，６２，６３が設けられているため、切り起こし部５１ｂにより調整される冷却風の風向を、風向調整板６１，６２，６３を用いてより効果的に調整することができる。
【００４６】
（４）金属板５ａが、ランプ２１を収容するランプケース４に設けられた開口部４２ａに取り付けられているため、ランプケース４を用いて、冷却風の流路に位置するように金属板５ａを保持することができる。
【００４７】
なお、本発明は、上記実施形態に限られず、本発明の趣旨に基づいて種々の設計変更をすることが可能であって、それらを本発明の範囲から除外するものではない。例えば、上記実施形態を以下のように変更してもよく、以下の変更を組み合わせて実施してもよい。
【００４８】
・上記実施形態では、切り起こし部５１ｂは、ランプ２１が存在する空間に向けて通風孔形成面５１ａから屈曲しているが、ランプ２１が設けられる空間とは反対側の空間、即ち冷却風が吹いてくる方向に向けて通風孔形成面５１ａから屈曲させることもできる。
【００４９】
・上記実施形態では、複数の切り起こし部５１ｂについて、それらの切り起こし部５１ｂが通風孔形成面５１ａに対して屈曲する度合いは同じであるが、所定の切り起こし部５１ｂが通風孔形成面５１ａに対して屈曲する度合いと、他の切り起こし部５１ｂが通風孔形成面５１ａに対して屈曲する度合いとを異ならせることもできる。このような構成によれば、冷却風の風向を多様に調整することができる。
【００５０】
・上記実施形態では、金属板５ａに形成されている全ての通風孔５１が金属板５ａを切り起こして形成される構成であるが、複数の通風孔５１のうち一部が、金属板５ａを切り起こして形成され、他の通風孔５１は、金属板５ｂに形成されている通風孔５１と同様に切り起こさずに形成することもできる。即ち、複数の通風孔を形成する場合には、少なくとも１つの通風孔が金属板を切り起こして形成されていればよい。
【００５１】
・上記実施形態では、ランプユニット２に流入する冷却風の風向を調整する風向調整部材６に本発明を適用しているが、ランプ２１を冷却した冷却風を通す通風孔５１が形成される金属板５ｂに本発明を適用してもよい。
【００５２】
・上記実施形態では、プロジェクタ１は液晶パネルを用いて映像を生成する投写型映像表示装置であるが、液晶パネル以外の電気光学装置を用いて映像を生成する投写型映像表示装置に本発明を適用してもよい。例えば、微小鏡を格子状に配列したＤＭＤ（Digital Micromirror Device）を用いて映像を生成するプロジェクタに本発明を適用することもできる。
【符号の説明】
【００５３】
１…ビデオプロジェクタ（投写型映像表示装置）、１Ａ…光源部、１Ｂ…光分離部、１Ｃ…映像生成部、１Ｄ…光合成部、１Ｅ…投射部、２…ランプユニット、４…ランプケース、５ａ，５ｂ…金属板、６…風向調整部材、２１…ランプ、２１ａ…発光部、２１ｂ…電極埋設部、２２…リフレクタ、２２ａ…反射面、３１…インテグレータレンズ、３１Ａ，３１Ｂ…レンズアレイ、３２…偏光変換素子、３３…集光レンズ、３４Ｒ，３４Ｂ…ダイクロイックミラー、３５Ｒ，３５Ｇ，３５Ｂ…液晶ライトバルブ、３９…全反射ミラー、４１…ランプホルダ、４２…ランプカバー、４２ａ，４２ｂ…開口部、５１…通風孔、５１ａ…通風孔形成面、５１ｂ…切り起こし部、６１，６２，６３…風向調整板、Ｍ…ランプ２１が存在する空間。
【図１】
2013007972.tif 000003
【図２】
2013007972.tif 000004
【図３】
2013007972.tif 000005
【図４】
2013007972.tif 000006
【図５】
2013007972.tif 000007
【図６】
2013007972.tif 000008